(57)【要約】【課題】ダイス本体端面近傍におけるねじ加工部の耐久性を向上した多重ねじ転造ダイスおよびこれを用いた多重ねじボルトの製造方法の提供。【解決手段】並目ねじを展開した並目ねじ山部５の山部５ａと、細目ねじを展開した細目ねじ山と並目ねじ山との位相ずれに応じて並目ねじ山部５の谷部５ｂに周期的に形成された細目ねじ山に対応する突起６とを備えた多重ねじ転造ダイス１において、ダイス本体端面１ａから所定幅の範囲は、並目ねじを展開した並目ねじ山の山部８ａおよび谷部８ｂを備え、細目ねじ山に対応する突起６を備えない単一並目ねじ山部８とした。【選択図】図６
2008221272.tif 000002
【特許請求の範囲】
【請求項１】
並目ねじを展開した並目ねじ山の山部と、細目ねじを展開した細目ねじ山と前記並目ねじ山との位相ずれに応じて前記並目ねじ山の谷部に周期的に形成された前記細目ねじ山に対応する突起とを備えた多重ねじ転造ダイスにおいて、
ダイス本体端面から所定幅の範囲は、前記並目ねじを展開した並目ねじ山の山部および谷部を備え、前記細目ねじ山に対応する突起を備えない単一並目ねじ山部であることを特徴とする多重ねじ転造ダイス。
【請求項２】
前記単一並目ねじ山部は、前記山部の山頂または谷部の底が前記ダイス本体端面に向かうに連れて低くなるように前記並目ねじ山が形成されたものである請求項１記載の多重ねじ転造ダイス。
【請求項３】
前記単一並目ねじ山部の並目ねじ山は、５〜３０°の勾配を設けて形成されたものである請求項２記載の多重ねじ転造ダイス。
【請求項４】
並目ねじを展開した並目ねじ山の山部と、細目ねじを展開した細目ねじ山と前記並目ねじ山との位相ずれに応じて前記並目ねじ山の谷部に周期的に形成された前記細目ねじ山に対応する突起とを備え、ダイス本体端面から所定幅の範囲が、前記並目ねじを展開した並目ねじ山の山部および谷部を備え、前記細目ねじ山に対応する突起を備えない単一並目ねじ山部とした多重ねじ転造ダイスにボルト材料を押し付けて転造する多重ねじボルトの製造方法。
【発明の詳細な説明】
【技術分野】
【０００１】
本発明は、緩み防止機能を有する多重ねじボルトの製造に用いられる多重ねじ転造ダイスおよびこれを用いた多重ねじボルトの製造方法に関する。
【背景技術】
【０００２】
近年、緩み防止機能を有する種々のボルトおよびその製造方法が研究開発されている。例えば、本発明者らは、特許文献１において、並目ねじを展開した並目ねじ山の山部と、並目ねじ山の谷部に並目ねじと同一方向のつる巻き線を持ち並目ねじよりもピッチが小さくかつピッチが異なる複数の細目ねじをそれぞれ展開したときに並目ねじ山の位相ずれに応じて並目ねじ山のｎ巻きごとに周期的に現れるそれぞれの細目ねじ山に対応する突起とを有する多重ねじ転造ダイスを用いて、多重ねじボルトを転造により製造する技術を開示している。
【０００３】
このような多重ねじ転造ダイスにより製造される多重ねじボルトでは、ボルトの並目ねじ部に並目ナットを螺合させた後、細目ねじ部に細目ナットをこの並目ナットに重ねて螺合させて、ボルトおよび両ナット間を締結させることができる。このような多重ねじボルト、並目ナットおよび細目ナットにより構成される多重ねじボルト締結体によれば、細目ナットと並目ナットのピッチが異なるので、両者が一体になって同一方向に回転すると、両ナット間の接触面（座面）に反発力が働き、並目ナットが緩み方向に回転するのを防止することができる。
【０００４】
【特許文献１】特許第３５４６２１１号公報
【発明の開示】
【発明が解決しようとする課題】
【０００５】
しかしながら、上記多重ねじ転造ダイスでは、並目ねじ山に重ねて細目ねじ山が形成されるというねじ山（溝）形状の特殊性から、ダイス本体端面近傍においてダイスが受ける応力が非常に高い。そのため、多重ねじ転造ダイスは、通常の単一ねじ転造用ダイスに比べて、ダイス本体端面近傍におけるねじ加工部の耐久性、特に耐チッピング性が劣ってしまうという欠点がある。
【０００６】
そこで、本発明においては、ダイス本体端面近傍におけるねじ加工部の耐久性を向上した多重ねじ転造ダイスおよびこれを用いた多重ねじボルトの製造方法を提供することを目的とする。
【課題を解決するための手段】
【０００７】
本発明の多重ねじ転造ダイスは、並目ねじを展開した並目ねじ山の山部と、細目ねじを展開した細目ねじ山と並目ねじ山との位相ずれに応じて並目ねじ山の谷部に周期的に形成された細目ねじ山に対応する突起とを備えた多重ねじ転造ダイスにおいて、ダイス本体端面から所定幅の範囲は、並目ねじを展開した並目ねじ山の山部および谷部を備え、細目ねじ山に対応する突起を備えない単一並目ねじ山部であることを特徴とするものである。なお、本発明において、山部とは、並目ねじの有効径に対応する並目ねじ山の位置よりも高い部分をいい、谷部とは同位置よりも低い部分をいう。
【０００８】
この多重ねじ転造ダイスにボルト材料を押し付けて転造を行うと、ボルト材料は、多重ねじ転造ダイスによって押圧されることにより、並目ねじ山の表面に沿って塑性変形しながら並目ねじ山の山部の間を埋めていき、並目ねじ山の谷部に周期的に形成された細目ねじ山に対応する突起の表面に沿って塑性変形しながら突起の間を埋めていく。このとき、塑性変形したボルト材料は、ボルト材料の中央から両外側に向かって流れていくが、本発明の多重ねじ転造ダイスでは、ダイス本体端面から所定幅の範囲は、並目ねじを展開した並目ねじ山の山部および谷部を備え、細目ねじ山に対応する突起を備えない単一並目ねじ山部であるため、このダイス本体端面から所定幅の範囲に流れてきたボルト材料は細目ねじ山に対応する突起に阻害されることなく、並目ねじ山の谷部に流れ込む。したがって、本発明の多重ねじ転造ダイスのダイス本体端面近傍におけるねじ加工部に掛かる応力が低くなる。
【０００９】
ここで、単一並目ねじ山部は、山部の山頂または谷部の底がダイス本体端面に向かうに連れて低くなるように並目ねじ山が形成されたものであることが望ましい。これにより、本発明の多重ねじ転造ダイスのダイス本体端面から所定幅の範囲内では、転造時に流れてきたボルト材料が流れ込む領域、すなわちボルト材料の逃げる領域が広くなるので、ボルト材料はこの単一並目ねじ山部内に流れ込み、本発明の多重ねじ転造ダイスのダイス本体端面近傍におけるねじ加工部に掛かる応力は低くなる。
【００１０】
また、単一並目ねじ山部の並目ねじ山は、５〜３０°、より好ましくは５〜１５°の勾配を設けて山部の山頂または谷部の底がダイス本体端面に向かうに連れて低くなるように形成されたものであることが望ましい。５°未満では、並目ねじボルトを螺合できない不完全ねじの領域が大きくなりすぎ、通常のボルトとしては使用できない特殊構造のボルトとなる。また、１５°を超えると谷部の断面積が急激に変化することになり、ダイス本体端面近傍におけるねじ加工部に掛かる応力が高くなるので、多重ねじ転造ダイスの耐久性が悪化していくが、３０°以下であれば実用上問題はない。５〜１５°の範囲であれば耐久性と不完全ねじとなる領域との釣り合いが最適な多重ねじ転造ダイスとなる。
【００１１】
なお、並目ねじとは、直径とピッチとの組み合わせが一般的で最も普通に使用されているねじをいう。また、細目ねじとは、並目ねじに比べて直径に対するピッチの割合が細かく、谷が浅いねじをいう。本発明の多重ねじ転造ダイスに係る細目ねじ山のピッチは、並目ねじ山のピッチ以下であればよい。また、それぞれのねじ山の形状は、三角ねじ、台形ねじ、角ねじ、鋸歯ねじ、丸ねじ、ポールねじやその他の特殊ねじなどのいずれでもよく、任意に組み合わせることも可能である。
【００１２】
また、本明細書中においては、つる巻き線の方向は一致するが、ピッチの異なる二つ以上のねじ山を同軸上に持つ、円柱体または円錐体のことを多重ねじという。多重ねじは、ピッチの異なるねじ山の数が２の場合、二重ねじ、３の場合、三重ねじ、４の場合、四重ねじ、・・・、ｎの場合、ｎ重ねじと呼ぶ。多重ねじは、その最も大きなピッチのねじ山と最も小さなピッチのねじ山の比をａ対ｎとするとき（ａとｎは最小の整数比）、大きなピッチのねじ山のピッチａごとにその多重ねじのねじ山の形状は周期的に変化する。
【００１３】
二重ねじボルトを製造する場合、多重ねじ転造ダイスとしての二重ねじ転造ダイスは、並目ねじを展開した並目ねじ山の一部と、この並目ねじ山の谷部に並目ねじと同一方向のつる巻き線を持ち並目ねじよりもピッチの小さい細目ねじ（但し、並目ねじと細目ねじのピッチの比はａ対ｂであり、ａとｂは最小の整数比である。）を展開したときに並目ねじ山との位相ずれに応じて並目ねじ山のｂ巻きごとに周期的に現れる細目ねじ山の一部とを有するものとする。
【００１４】
また、多重ねじ転造ダイスが、さらに、並目ねじ山の一部および細目ねじ山の一部により形成される谷部に並目ねじと同一方向のつる巻き線を持ち細目ねじよりもさらにピッチの小さい最細目ねじ（但し、並目ねじと細目ねじと最細目ねじのピッチの比はａ対ｂ対ｃであり、ａとｂとｃは最小の整数比である。）を展開したときに並目ねじ山の一部および細目ねじ山の一部との位相ずれに応じて並目ねじ山のｃ巻きごとに周期的に現れる最細目ねじ山の一部を有する三重ねじ転造ダイスとすることで、並目ねじ山の一部と細目ねじ山の一部と最細目ねじ山の一部とが形成された三重ねじボルトを製造することが可能である。
【００１５】
さらに、ｎ重ねじボルトを製造する場合、多重ねじ転造ダイスとしてのｎ重ねじ転造ダイスは、並目ねじを展開した並目ねじ山の一部と、この並目ねじ山の谷部に並目ねじと同一方向のつる巻き線を持ち並目ねじよりもピッチが小さくかつピッチが異なる一つまたは複数の細目ねじ（但し、並目ねじと一つまたは複数の細目ねじのピッチの比はａ対・・・対ｎであり、ａ，・・・，ｎは最小の整数比である。）をそれぞれ展開したときに並目ねじ山との位相ずれに応じて並目ねじ山のｎ巻きごとに周期的に現れるそれぞれの細目ねじ山の一部とを有するものとする。これにより、並目ねじ山の一部と複数の細目ねじ山それぞれの一部とが形成された多重ねじボルトを製造することが可能である。
【００１６】
また、本発明の多重ねじ転造ダイスが、丸ダイス上に並目ねじ山の一部および細目ねじ山の一部を形成したものであれば、この多重ねじ転造ダイスを所定間隔で配置してそれぞれ同一方向に回転させ、この多重ねじ転造ダイス間にボルト材料を押圧させることにより、多重ねじボルトを製造することができる。
【００１７】
また、本発明の多重ねじ転造ダイスが、平ダイス上に並目ねじ山の一部および細目ねじ山の一部を形成したものであれば、この多重ねじ転造ダイスを所定間隔で配置し、一方を固定して他方を平行移動させるか、または互いに逆方向に平行移動させ、この多重ねじ転造ダイス間にボルト材料を押圧させることにより、多重ねじボルトを製造することができる。
【００１８】
なお、本発明の多重ねじ転造ダイスは、所定間隔で配置する複数の多重ねじ転造ダイスのうち少なくとも一つ配置すればよいが、すべての多重ねじ転造ダイスを本発明の多重ねじ転造ダイスとすることも可能である。多重ねじ転造ダイスのうち一つを本発明の多重ねじ転造ダイスとする場合、他の多重ねじ転造ダイスは並目ねじのみを展開した通常の並目ねじダイスとする。また、ロータリプラネタリ方式のボルトの製造方法または製造装置に適用する場合、本発明の多重ねじ転造ダイスは丸ダイスまたはセグメントダイスのいずれか一方に適用すればよく、両方に適用してもよい。
【発明の効果】
【００１９】
（１）並目ねじを展開した並目ねじ山の山部と、細目ねじを展開した細目ねじ山と並目ねじ山との位相ずれに応じて並目ねじ山の谷部に周期的に形成された細目ねじ山に対応する突起とを備えた多重ねじ転造ダイスにおいて、ダイス本体端面から所定幅の範囲は、並目ねじを展開した並目ねじ山の山部および谷部を備え、細目ねじ山に対応する突起を備えない単一並目ねじ山部であることにより、転造時に多重ねじ転造ダイスのダイス本体端面近傍におけるねじ加工部に掛かる応力が低くなるので、ダイス本体端面近傍におけるねじ加工部の耐久性が向上する。
【００２０】
（２）単一並目ねじ山部は、山部の山頂または谷部の底がダイス本体端面に向かうに連れて低くなるように並目ねじ山が形成されたものであることにより、ダイス本体端面から所定幅の範囲内では、転造時に流れてきたボルト材料が流れ込む領域が広くなるので、ボルト材料はこの単一並目ねじ山部内に流れ込み、本発明の多重ねじ転造ダイスのダイス本体端面近傍におけるねじ加工部に掛かる応力は低くなるので、さらにダイス本体端面近傍におけるねじ加工部の耐久性が向上する。
【００２１】
（３）単一並目ねじ山部の並目ねじ山が、５〜３０°の勾配を設けて山部の山頂または谷部の底がダイス本体端面に向かうに連れて低くなるように形成されたものであることにより、並目ねじボルトを螺合できない不完全ねじの領域が少なく、通常使用するボルトに代えて使用することが可能な多重ねじボルトを製造することが可能となる。特に、５〜１５°の範囲であれば耐久性と不完全ねじとなる領域との釣り合いが最適な多重ねじ転造ダイスとなる。
【発明を実施するための最良の形態】
【００２２】
図１は本発明の実施の形態における多重ねじボルトの製造装置を示す概略図、図２は図１の平面図、図３は図１の多重ねじ転造ダイスを示す斜視図である。
図１および図２に示すように、本実施形態における多重ねじボルトの製造装置は、多重ねじボルトとしての二重ねじボルトを製造するものであって、所定間隔で対向配置した一対の多重ねじ転造ダイス１と、円柱状のボルト材料（以下、「ワーク」と称す。）３を所定位置で支持するボルト支持部２とを備える。また、図３に示すように、多重ねじ転造ダイス１は、円筒形のダイス（丸ダイス）の外周に二重ねじボルト形成用の転写パターン４を形成したものである。
【００２３】
図４は図３の多重ねじ転造ダイスの外周の転写パターンの一部を平面に展開した図、図５の（Ａ），（Ｂ），（Ｃ），（Ｄ），（Ｅ），（Ｆ）はそれぞれ図４のＡ−Ａ線断面図、Ｂ−Ｂ線断面図、Ｃ−Ｃ線断面図、Ｄ−Ｄ線断面図、Ｅ−Ｅ線断面図、Ｆ−Ｆ線断面図、図６の（Ａ）は図４のＡ−Ａ線断面と同位相における多重ねじ転造ダイスの端面近傍の断面図、（Ｄ）は図４のＤ−Ｄ線断面と同位相における多重ねじ転造ダイスの端面近傍の断面図である。
【００２４】
図４に示すように、多重ねじ転造ダイス１の外周には、製造する二重ねじボルトに対応する転写パターン４が１周につき１０個分繰り返して形成されている。多重ねじ転造ダイス１の外径は１８１．４４４ｍｍであり、二重ねじボルトは呼び径Ｍ２０で並目ねじピッチ２．５ｍｍ、細目ねじピッチ１．２５ｍｍである。したがって、二重ねじボルト１個分の転写パターン４は、多重ねじ転造ダイス１の外周１周３６０°のうち３６°の範囲に形成されていることになる。図４のＡ−Ａ線、Ｂ−Ｂ線、Ｃ−Ｃ線、Ｄ−Ｄ線、Ｅ−Ｅ線、Ｆ−Ｆ線は、それぞれ６°間隔で設けたものである。
【００２５】
図５の（Ａ）〜（Ｆ）に示すように、多重ねじ転造ダイス１の転写パターン４（図５に実線で示す。）は、並目ねじを丸ダイスの表面に展開した基準のねじ山となる並目ねじ山の一部（以下、「並目ねじ山部」と称す。）５と、この並目ねじ山の谷部５ａに周期的に形成された付加的な突起６とにより構成されている。突起６は、展開した並目ねじ山の元の並目ねじと同一方向のつる巻き線を持ち、並目ねじよりもピッチの小さい細目ねじを展開した細目ねじ山（図５に点線（想像線）６ａで示す。）と並目ねじ山との位相ずれ７に応じて周期的な形状に形成されたものである。
【００２６】
ここで、並目ねじと細目ねじのピッチの比をａ対ｂ（但し、ａとｂは最小の整数比。図示例では２対１としている。）とすると、突起６は、細目ねじを展開したときに並目ねじ山との位相ずれに応じて並目ねじ山のｂ巻き（図示例では１巻き）ごとに周期的に現れる細目ねじ山の一部となる。図５の（Ａ）〜（Ｆ）に示すように、想像線６ａで示す細目ねじ山は、並目ねじ山との位相ずれ７によって、この並目ねじ山から突出した部分のみが、付加的な突起６として現れている。すなわち、突起６は、細目ねじ山そのものではなく、位相ずれ７に応じてずれた分だけ細目ねじ山の想像線６ａに対応するように、並目ねじ山に対して付加的に突出させた突起である。並目ねじ山部５は、多重ねじ転造ダイス１の表面に現れている細目ねじ山の一部（突起６の表面）を除く部分である。
【００２７】
但し、本実施形態における多重ねじ転造ダイス１では、図６に示すようにダイス本体端面１ａから所定幅の範囲は、並目ねじを展開した並目ねじ山の山部８ａおよび谷部８ｂを備え、細目ねじ山に対応する突起６を備えない単一並目ねじ山部８とする。なお、単一並目ねじ山部８は、少なくとも多重ねじ転造ダイス１の１巻き形成すれば良い。また、単一並目ねじ山部８は、図２に示すように製造する二重ねじボルトの頭部側となる多重ねじ転造ダイス１の一方のダイス本体端面１ａに形成することも可能であるが、図２の上下両方のダイス本体端面１ａに形成しても良い。
【００２８】
また、本実施形態における多重ねじ転造ダイス１では、単一並目ねじ山部８のダイス本体端面１ａ側に、多重ねじ転造ダイス１の軸方向から３０°の角度にて面取りを施して面取部８ｃを構成している。この面取りの角度は１５〜７５°の範囲で設定することができる。面取りの角度が１５°未満では、ダイス本体端面とねじ加工部とのなす角が大きすぎ、これらの接続部に応力が集中しやすくなる。一方、７５°超では、ボルト材料の逃げる領域が少なすぎてしまい、ダイス本体端面近傍のねじ加工部に掛かる応力を低くすることが難しくなる。したがって、面取りの角度は１５〜７５°の範囲とするのが望ましい。
【００２９】
なお、上記のような単一並目ねじ山部８を備えた多重ねじ転造ダイス１によって転造される二重ねじボルトでは、この単一並目ねじ山部８によって形成された部分には、細目ねじナットを螺合できない。しかしながら、製造される二重ねじボルトがたとえ全ねじボルトであっても、この二重ねじボルトには止まり側、すなわち、図２に示すようにワーク３が頭付きボルトであれば図面上側の頭側に並目ねじナットが螺合されるため、ダイス本体端面１ａからこの並目ねじナットの幅までを単一並目ねじ山部８として形成しても二重ねじボルトとしての機能に影響はない。
【００３０】
ところで、図５の（Ａ）〜（Ｆ）に示す例では、基準となる並目ねじ山の谷部５ａの谷底５ｂと、突起６に対応させた細目ねじ山の想像線６ａの谷底６ｂとの位置を一致させているが、これに限るものではない。例えば、本実施形態における多重ねじ転造ダイス１により製造された二重ねじボルト（図示せず。）の並目ねじ山に並目ナットを螺合させると、多重ねじ転造ダイス１の突起６の分だけ接触面積が減ることになるが、突起６に対応させた細目ねじ山の想像線６ａの谷底６ｂの位置を図５の下方へ移動させることにより、二重ねじボルトの並目ねじ山と並目ナットとの接触面積を増やすことができる。
【００３１】
なお、通常の多重ねじ転造ダイスであれば、その表面に並目ねじ山または細目ねじ山のいずれか一方のみが形成されているため、並目ねじナットまたは細目ねじナットを嵌めることができる。しかし、本実施形態における多重ねじ転造ダイス１の場合、並目ねじナットおよび細目ねじナットを嵌めようとしても嵌らない。多重ねじ転造ダイス１の表面に、特許文献１に記載のように従来の並目ねじ山と細目ねじ山とが一体に形成されたもの（具体的な構造は明らかでないが）ではなく、並目ねじ山部５とこの並目ねじ山部５の元の並目ねじ山の谷部５ａに周期的な形状の突起６とが形成されたものだからである。
【００３２】
上記構成の二重ねじボルトの製造装置を用いて二重ねじボルトを製造するには、円柱状のワーク３をボルト支持部２上に配置し、このワーク３を一対の多重ねじ転造ダイス１間に押圧させ、一対の多重ねじ転造ダイス１をそれぞれ同一方向（例えば、図１に矢印で示すように右回り）に回転させる。
【００３３】
ここで、ワーク３は、多重ねじ転造ダイス１によって押圧されることにより、並目ねじ山部５の表面に沿って塑性変形しながら並目ねじ山部５の谷部５ａを埋めていき、並目ねじ山部５の谷部５ａに周期的に形成された細目ねじ山に対応する突起６の表面に沿って塑性変形しながら谷部５ａを埋めていく。このとき、塑性変形したワーク３は、ワーク３の中央から両外側に向かって流れていくが、本実施形態の多重ねじ転造ダイス１では、ダイス本体端面１ａから所定幅の範囲が上述のような単一並目ねじ山部８であるため、この単一並目ねじ山部８に流れてきたワーク３は突起６に阻害されることなく、並目ねじ山部５の谷部５ａに流れ込む。
【００３４】
これにより、転造時に多重ねじ転造ダイス１のダイス本体端面１ａ近傍におけるねじ加工部、すなわち単一並目ねじ山部８に掛かる応力が低くなり、ダイス本体端面１ａ近傍におけるねじ加工部の耐久性が向上する。こうして得られた二重ねじボルトの外周表面には、図５の多重ねじ転造ダイス１の転写パターン４の逆パターンの溝（並目ねじ山部５および突起６に相当する溝）が形成される。
【００３５】
このように、本実施形態における多重ねじ転造ダイス１によれば、ワーク３の外周表面上に並目ねじ山の一部および細目ねじ山の一部が一工程で一度に転写され、並目ねじ部の一部と細目ねじ部の一部とが形成された二重ねじボルトが得られる。この得られた二重ねじボルトは、従来の切削により形成した二重ねじボルトと同様、並目ねじ山が形成されたうえで、細目ねじ山がえぐり取られた状態のものとなる。したがって、得られた二重ねじボルトには並目ねじナットと細目ねじナットとを嵌めることができる。
【００３６】
また、単一並目ねじ山部８は、図７に示すように、山部８ａの山頂または谷部８ｂの底がダイス本体端面１ａに向かうに連れて低くなるように５〜１５°の勾配を設けて形成されたものとすることも可能である。このような勾配を設けることで、転造時に流れてきたワーク３が流れ込む領域が広くなるので、ワーク３はこの単一並目ねじ山部８内に流れ込み、多重ねじ転造ダイス１のダイス本体端面１ａ近傍におけるねじ加工部に掛かる応力はより低くなり、さらにダイス本体端面１ａ近傍におけるねじ加工部の耐久性が向上する。
【００３７】
なお、図７に示す例では、山部８ａの山頂および谷部８の底がダイス本体端面１ａに向かうに連れて低くなるように１０°の勾配を設けて平行に形成されているが、いずれか一方のみに勾配を設けることも可能である。但し、谷部８の底にのみ勾配を設けた場合には谷部８の断面積が急激に変化するようになり、ダイス本体端面近傍におけるねじ加工部に掛かる応力が高くなるので望ましくないが、山部８ａの山頂にのみ勾配を設けた場合には谷部８の断面積の変化が緩やかとなるので良い。このように一方に勾配を設けた場合であっても、転造時に流れてきたワーク３が流れ込む領域が広くなるので、同様にダイス本体端面近傍におけるねじ加工部の耐久性を向上させることができる。
【００３８】
また、この勾配は、５〜１５°の範囲であれば耐久性と不完全ねじとなる領域との釣り合いが最適であるが、５〜３０°の範囲とすることも可能である。１５°を超えると谷部８の断面積が急激に変化することになり、ダイス本体端面近傍におけるねじ加工部に掛かる応力が高くなるので、多重ねじ転造ダイスの耐久性が悪化していくが、３０°以下であれば実用上問題はない。
【産業上の利用可能性】
【００３９】
本発明の多重ねじ転造ダイスおよびこれを用いた多重ねじボルトの製造方法は、緩み防止機能を有する多重ねじボルトの製造に有用である。特に、本発明は、ダイス本体端面近傍におけるねじ加工部の耐久性を向上した多重ねじ転造ダイスとして好適である。
【図面の簡単な説明】
【００４０】
【図１】本発明の実施の形態における多重ねじボルトの製造装置を示す概略図である。
【図２】図１の平面図である。
【図３】図１の多重ねじ転造ダイスを示す斜視図である。
【図４】図３の多重ねじ転造ダイスの外周の転写パターンの一部を平面に展開した図である。
【図５】（Ａ），（Ｂ），（Ｃ），（Ｄ），（Ｅ），（Ｆ）はそれぞれ図４のＡ−Ａ線断面図、Ｂ−Ｂ線断面図、Ｃ−Ｃ線断面図、Ｄ−Ｄ線断面図、Ｅ−Ｅ線断面図、Ｆ−Ｆ線断面図である。
【図６】（Ａ）は図４のＡ−Ａ線断面と同位相における多重ねじ転造ダイスの端面近傍の断面図、（Ｄ）は図４のＤ−Ｄ線断面と同位相における多重ねじ転造ダイスの端面近傍の断面図である。
【図７】多重ねじ転造ダイスの別の例を示す図であって、（Ａ）は図４のＡ−Ａ線断面と同位相における端面近傍の断面図、（Ｄ）は図４のＤ−Ｄ線断面と同位相における端面近傍の断面図である。
【符号の説明】
【００４１】
１  多重ねじ転造ダイス
２  ボルト支持部
３  ワーク（ボルト材料）
４  転写パターン
５  並目ねじ山部
５ａ  谷部
５ｂ  谷底
６  突起
６ａ  細目螺子山の想像線
６ｂ  谷底
６ｃ  溝
８  単一並目ねじ山部
８ａ  山部
８ｂ  谷部
８ｃ  面取部
【図１】
2008221272.tif 000003
【図２】
2008221272.tif 000004
【図３】
2008221272.tif 000005
【図４】
2008221272.tif 000006
【図５】
2008221272.tif 000007
【図６】
2008221272.tif 000008
【図７】
2008221272.tif 000009
【手続補正書】
【提出日】平成19年3月19日(2007.3.19)
【手続補正１】
【補正対象書類名】明細書
【補正対象項目名】００３１
【補正方法】変更
【補正の内容】
【００３１】
なお、通常のねじ転造ダイスであれば、その表面に並目ねじ山または細目ねじ山のいずれか一方のみが形成されているため、並目ねじナットまたは細目ねじナットを嵌めることができる。しかし、本実施形態における多重ねじ転造ダイス１の場合、並目ねじナットおよび細目ねじナットを嵌めようとしても嵌らない。多重ねじ転造ダイス１の表面に、特許文献１に記載のように従来の並目ねじ山と細目ねじ山とが一体に形成されたもの（具体的な構造は明らかでないが）ではなく、並目ねじ山部５とこの並目ねじ山部５の元の並目ねじ山の谷部５ａに周期的な形状の突起６とが形成されたものだからである。